(57)【特許請求の範囲】
【請求項１】
ケーシング（１）と、このケーシング（１）の上面側に基端側を中心として回動することにより起伏可能とされたレバー（２）と、同じくケーシング（１）の上面側に配位されたボタン（３）とを備え、ボタン（３）の操作によりレバー（２）を起こすようにした開閉用ハンドル装置において、
ケーシング（１）に、上面の開放されたレバー収納凹部（１２）とボタン収納凹部（１３）とが一体若しくは別々に形成され、この上面開口からボタン収納凹部（１３）内にボタン（３）が収納されたものであり、
このボタン（３）とボタン収納凹部（１３）とには、ボタン（３）を回動可能に支持するため軸支手段が設けられ、
この軸支手段は、上記の上面開口から収納する操作によって、互いに嵌め合わせることができるものであり、
ボタン（３）を回動させるためのバネ部材（４）がケーシング（１）内に配位され、
バネ部材（４）は左右のボタン側当接部（４２）を備え、
左右のボタン側当接部（４２）が、ボタン（３）に設けられたバネ保持部（３６）を左右で保持することにより、ボタン（３）の脱落防止手段として機能するものであることを特徴とする回動式ボタンを備えた開閉用ハンドル装置。
【請求項２】
ボタン（３）は、レバー収納凹部（１２）内に倒したレバー（２）と係合してレバーの起立を防止するレバー係合部（３２）を備え、
このボタン（３）は、上記バネ部材（４）の付勢力に抗して下方に押されることにより、下方に回動してレバー（２）を開放するものであることを特徴とする請求項１記載の回動式ボタンを備えた開閉用ハンドル装置。
【請求項３】
ケーシング（１）と、このケーシング（１）の上面側に基端側を中心として回動することにより起伏可能とされたレバー（２）と、同じくケーシング（１）の上面側に配位されたボタン（３）とを備え、ボタン（３）の操作によりレバー（２）を起こすようにした開閉用ハンドル装置において、
ケーシング（１）に、上面の開放されたレバー収納凹部（１２）とボタン収納凹部（１３）とが一体若しくは別々に形成されたものであり、
ボタン収納凹部（１３）には、ボタン（３）を回動可能に支持するため軸体（１５）が設けられ、ボタン（３）には切欠部分（３５）を有する軸受け部（３３）が設けられ、この切欠部分（３５）から軸体（１５）が軸受け部（３３）に装着されたものであり、
この軸体（１５）にはバネ部材（４）が取り付けられ、このバネ部材（４）はボタン側当接部（４３）とを備えることにより、ボタン（３）を上方に回動させるよう付勢するものであり、
ボタン（３）は、レバー収納凹部（１２）内に倒したレバー（２）と係合してレバー（２）の起立を防止するレバー係合部（３２）を備え、
このボタン（３）は、上記バネ部材（４）の付勢力に抗して下方に押されることにより、下方に回動してレバー（２）を開放するものであり、
バネ部材（４）は左右のボタン側当接部（４２）を備え、
左右のボタン側当接部（４２）が、ボタン（３）に設けられたバネ保持部（３６）を左右で保持することにより、ボタン（３）の脱落防止手段として機能するものであることを特徴とする回動式ボタンを備えた開閉用ハンドル装置。
【請求項４】
ケーシング（１）のボタン収納凹部（１３）には、その底部（１３ａ）に治具挿入用の貫通孔（１３ｂ）が設けられ、
貫通孔（１３ｂ）から挿入された治具（ｊ）によって、バネ部材（４）とボタン（３）とが係合させられたことを特徴とする請求項２又は３記載の回動式ボタンを備えた開閉用ハンドル装置。
【請求項５】
ケーシング（１）と、このケーシング（１）の上面側に基端側を中心として回動することにより起伏可能とされたレバー（２）と、同じくケーシング（１）の上面側に配位されたボタン（３）とを備え、ボタン（３）の操作によりレバー（２）を起こすようにした開閉用ハンドル装置において、
ケーシング（１）に、上面の開放されたレバー収納凹部（１２）とボタン収納凹部（１３）とが一体若しくは別々に形成され、ボタン収納凹部（１３）内にボタン（３）が収納されたものであり、
このボタン（３）とボタン収納凹部（１３）とには、ボタン（３）を回動可能に支持するため軸支手段が設けられ、
ボタン（３）を上方に回動させるためのバネ部材（４）がケーシング（１）内に配位され、
バネ部材（４）はボタン側当接部（４２）を備え、
ボタン側当接部（４２）は、ボタン（３）に設けられたバネ保持部（３６）を挟持するための保持部（４４）と、バネ保持部（３６）に対して突出して設けられる突出部（４５）とを備えるものであって、
保持部（４４）が、ボタン（３）の脱落防止手段として機能するものであり、
さらに、突出部（４５）が、ケーシング（１）に当接することにより、ボタン（３）の回動角度の規制手段として機能することを特徴とする回動式ボタンを備えた開閉用ハンドル装置。
【請求項６】
軸支手段が、ケーシング（１）の左右の側壁に両端が支持されるように挿通した貫通軸（１５ｂ）を有するものであることを特徴とする、請求項５に記載の回動式ボタンを備えた開閉用ハンドル装置。
【請求項７】
ボタン（３）が、レバー（２）の先端側に位置するように、ケーシング（１）の上面側に配位されたものであることを特徴とする請求項１から６のいずれかに記載の回動式ボタンを備えた開閉用ハンドル装置。
【請求項８】
ケーシング（１）と、このケーシング（１）の上面側に基端側を中心として回動することにより起伏可能とされたレバー（２）と、同じくケーシング（１）の上面側に配位され、回動可能に支持されたボタン（３）とを備え、ボタン（３）の操作によりレバー（２）を起こすようにした開閉用ハンドル装置に用いるボタン（３）において、
ボタン（３）はバネ部材（４）を備えるものであり、
バネ部材（４）は、中央部（４１）と、中央部（４１）から伸びるボタン側当接部（４２）とケーシング側当接部（４３）とを備え、
中央部（４１）を基準として、ボタン側当接部（４２）とケーシング側当接部（４３）とが回動可能となっており、
ボタン側当接部（４２）は、ボタン（３）を保持するための保持部（４４）と、突出部（４５）とを備えるものであって、
保持部（４４）が、ボタン（３）に設けられたバネ保持部（３６）を挟持することにより、ボタン（３）の脱落防止手段として機能するものであり、
さらに、突出部（４５）が、ケーシング（１）に当接することにより、ボタン（３）の回動角度の規制手段として機能することを特徴とする開閉用ハンドル装置に用いるボタン。
【発明の詳細な説明】
【０００１】
【発明の属する技術分野】
本願発明は、配電盤収納ボックス等の扉に取り付けられて使用される開閉用ハンドル装置の改良に関するものである。
【０００２】
【従来の技術】
【特許文献１】
特開２００１−３１７２４０号公報
【０００３】
従来から、配電盤収納ボックス等の扉に取り付けられて使用される開閉用ハンドル装置が知られている。この従来の扉開閉用ハンドル装置として、例えば図１５(A)(B)及び図１６(A)(B)に示すようなものがある。この扉開閉用ハンドル装置は、配電盤収納ボックス等の扉に固定されるケーシングａと、レバーｂと、レバーｂを操作する押圧部ｃ１を有するボタンｃとを備え、ケーシングａの上面側に、レバーｂを収納するレバー収納凹部ａ１と、ボタンｃを上下方向移動可能に収納する上下両面開口のボタン収納凹部ａ２とを備え、レバーｂを、レバー収納凹部ａ１に軸支し、ボタンｃを、ボタン収納凹部ａ２における下面側の開口から入れるとともに、その下面側の開口をケーシングａと別体の下面形成用蓋ａ４で、ボタンｃと下面形成用蓋ａ４との間にコイルバネ部材ｄを配位させるようにして塞ぎ、ケーシングａの下端縁ｃ３をかしめ加工することにより、下面形成用蓋ａ４を固定したものとする。そして、ボタンｃを、上方側から下方側に押圧操作することにより、ボタンｃの押圧部ｃ１が、レバー収納凹部ａ１に伏状態で収納したレバーｂの上端を下方側に押圧し、その押圧によって、レバーｂの下端側が上方側に回動し、これにより、レバーｂをケーシングａの上方側に起こし得るようにしたものである。又、レバーｂをケーシングａの上方側に起こした後は、押圧しているボタンｃの押圧を止めればコイルバネ部材ｄの付勢力によってボタンｃを上方側の元の位置に戻すようにしたものである。
【０００４】
しかしながら、このものにおいては、ボタンｃを、ケーシングａにおけるボタン収納凹部ａ２の下面側に設けた開口から入れるため、ボタンｃをボタン収納凹部ａ２に入れた後、ケーシングａと別体の下面形成用蓋ａ４で塞ぐように配位させ、ケーシングａの下端縁ａ３をかしめ加工しなければならない。しかも、ボタンｃと下面形成用蓋ａ４との間にコイルバネ部材ｄを配位させた状態でケーシングａの下端縁ａ３をかしめ加工しなければならず、下面形成用蓋ａ４の固定作業が困難である。その結果、ボタンｃの組み付け作業に時間を要し、コスト高になっているという課題がある。
【０００５】
この課題を解決するために、本願出願人は、特開2001-317240（特許文献１）において、ケーシングと、このケーシングの上面側に基端側を中心として回動することにより起伏可能とされたレバーと、同じくケーシングの上面側であってレバーの基端側に配位されたボタンとを備え、ボタンの操作によりレバーを起こすようにした開閉用ハンドル装置において、ケーシングに、上面の開放されたレバー収納凹部とボタン収納凹部とが連続して形成され、レバー収納凹部の開放上面を経てボタン収納凹部内にボタンが収納されたものであることを特徴とする開閉用ハンドル装置を提案した。
このものは、レバーの基端側にボタンを配位した開閉用ハンドル装置にあって、レバー収納凹部の開放上面を経てボタン収納凹部内にボタンを収納するようにしたため、ボタン収納凹部の底部からボタンを装着する必要がなくなり、その結果、従来のように、下面形成用蓋をかしめ加工で装着固定する必要がなくなったものである。
【０００６】
【発明が解決しようとする課題】
他方、開閉用ハンドル装置にあっては、ボタンを回動式としたものが多数製品化されており、この種の回動式ボタンを備えたタイプにあっても、下面形成用蓋をかしめ加工で装着固定する方式が主流を占めている。
このように、ボタンを回動式とするためにはボタンをケーシングに軸支する必要があるため、上記の特開2001-317240において提案した構造では、組付けが困難であり、また、組み付けたボタンの脱落を防止することが困難であることが判明した。
しかして、本願発明は、以上の実情に鑑み提案されたもので、回動式のボタンを備えた扉開閉用ハンドル装置において、この回動式のボタンの組み付け作業を上面開口から容易に短時間で行い得る扉開閉用ハンドル装置を提供せんとするものである。
【０００７】
上記に加え、本願発明は、ボタンの形状の自由度を高め、ボタンの組み付け作業も比較的容易とできる扉開閉用ハンドル装置及び扉開閉用ハンドル装置に用いるボタンを提供せんとするものである。
【０００８】
【課題を解決するための手段】
本願の請求項１の発明は、ケーシング１と、このケーシング１の上面側に基端側を中心として回動することにより起伏可能とされたレバー２と、同じくケーシング１の上面側に配位されたボタン３とを備え、ボタン３の操作によりレバー２を起こすようにした開閉用ハンドル装置において、
ケーシング１に、上面の開放されたレバー収納凹部１２とボタン収納凹部１３とが一体若しくは別々に形成され、この上面開口からボタン収納凹部１３内にボタン３が収納されたものであり、
このボタン３とボタン収納凹部１３とには、ボタン３を回動可能に支持するため軸支手段が設けられ、
この軸支手段は、上記の上面開口から収納する操作によって、互いに嵌め合わせることができるものであり、
ボタン３を回動させるためのバネ部材４がケーシング１内に配位され、
バネ部材４は左右のボタン側当接部４２を備え、
左右のボタン側当接部４２が、ボタン３に設けられたバネ保持部３６を左右で保持することにより、ボタン３の脱落防止手段として機能するものであることを特徴とする回動式ボタンを備えた開閉用ハンドル装置を提供する。
【０００９】
本願の請求項２の発明は、ボタン３は、レバー収納凹部１２内に倒したレバー２と係合してレバーの起立を防止するレバー係合部３２を備え、
このボタン３は、上記バネ部材４の付勢力に抗して下方に押されることにより、下方に回動してレバー２を開放するものであることを特徴とする請求項１記載の回動式ボタンを備えた開閉用ハンドル装置を提供する。
【００１０】
本願の請求項３の発明は、ケーシング１と、このケーシング１の上面側に基端側を中心として回動することにより起伏可能とされたレバー２と、同じくケーシング１の上面側に配位されたボタン３とを備え、ボタン３の操作によりレバー２を起こすようにした開閉用ハンドル装置において、
ケーシング１に、上面の開放されたレバー収納凹部１２とボタン収納凹部１３とが一体若しくは別々に形成されたものであり、
ボタン収納凹部１３には、ボタン３を回動可能に支持するため軸体１５が設けられ、ボタン３には切欠部分３５を有する軸受け部３３が設けられ、この切欠部分３５から軸体１５が軸受け部３３に装着されたものであり、
この軸体１５にはバネ部材４が取り付けられ、このバネ部材４はボタン側当接部４３とを備えることにより、ボタン３を上方に回動させるよう付勢するものであり、
ボタン３は、レバー収納凹部１２内に倒したレバー２と係合してレバー２の起立を防止するレバー係合部３２を備え、
このボタン３は、上記バネ部材４の付勢力に抗して下方に押されることにより、下方に回動してレバー２を開放するものであり、
バネ部材４は左右のボタン側当接部４２を備え、
左右のボタン側当接部４２が、ボタン３に設けられたバネ保持部３６を左右で保持することにより、ボタン３の脱落防止手段として機能するものであることを特徴とする回動式ボタンを備えた開閉用ハンドル装置を提供するものである。
【００１１】
本願の請求項４の発明は、ケーシング１のボタン収納凹部１３には、その底部１３ａに治具挿入用の貫通孔１３ｂが設けられ、貫通孔１３ｂから挿入された治具ｊによって、バネ部材４とボタン３とが係合させられたことを特徴とする請求項２又は３記載の回動式ボタンを備えた開閉用ハンドル装置を提供する。
【００１２】
本願の請求項５の発明は、ケーシング１と、このケーシング１の上面側に基端側を中心として回動することにより起伏可能とされたレバー２と、同じくケーシング１の上面側に配位されたボタン３とを備え、ボタン３の操作によりレバー２を起こすようにした開閉用ハンドル装置において、ケーシング１に、上面の開放されたレバー収納凹部１２とボタン収納凹部１３とが一体若しくは別々に形成され、ボタン収納凹部１３内にボタン３が収納されたものであり、このボタン３とボタン収納凹部１３とには、ボタン３を回動可能に支持するため軸支手段が設けられ、ボタン３を上方に回動させるためのバネ部材４がケーシング１内に配位され、バネ部材４はボタン側当接部４２を備え、ボタン側当接部４２は、ボタン３に設けられたバネ保持部３６を挟持するための保持部４４と、バネ保持部３６に対して突出して設けられる突出部４５とを備えるものであって、保持部４４が、ボタン３の脱落防止手段として機能するものであり、さらに、突出部４５が、ケーシング１に当接することにより、ボタン３の回動角度の規制手段として機能することを特徴とする回動式ボタンを備えた開閉用ハンドル装置を提供する。
【００１３】
本願の請求項６の発明は、軸支手段が、ケーシング１の左右の側壁に両端が支持されるように挿通した貫通軸１５ｂを有するものであることを特徴とする請求項５に記載の回動式ボタンを備えた開閉用ハンドル装置を提供する。
【００１４】
本願の請求項７の発明は、ボタン３が、レバー２の先端側に位置するように、ケーシング１の上面側に配位されたものであることを特徴とする請求項１から６のいずれかに記載の回動式ボタンを備えた開閉用ハンドル装置を提供する。
【００１５】
本願の請求項８の発明は、ケーシング１と、このケーシング１の上面側に基端側を中心として回動することにより起伏可能とされたレバー２と、同じくケーシング１の上面側に配位され、回動可能に支持されたボタン３とを備え、ボタン３の操作によりレバー２を起こすようにした開閉用ハンドル装置に用いるボタン３において、ボタン３はバネ部材４を備えるものであり、バネ部材４は、中央部４１と、中央部４１から伸びるボタン側当接部４２とケーシング側当接部４３とを備え、中央部４１を基準として、ボタン側当接部４２とケーシング側当接部４３とが回動可能となっており、ボタン側当接部４２は、ボタン３を保持するための保持部４４と、突出部４５とを備えるものであって、保持部４４が、ボタン３に設けられたバネ保持部３６を挟持することにより、ボタン３の脱落防止手段として機能するものであり、さらに、突出部４５が、ケーシング１に当接することにより、ボタン３の回動角度の規制手段として機能することを特徴とする開閉用ハンドル装置に用いるボタンを提供する。
【００１６】
【発明の実施の形態】
以下、図を参照しつつ本願発明の一実施形態（第１実施形態）を具体的に説明する。
図１は本願発明の第１実施形態における開閉用ハンドル装置の中央断面図であり、図２は同開閉用ハンドル装置のボタンを押し下げた状態の中央断面図である。図３乃至図６（Ａ）は同開閉用ハンドル装置の組付け手順を示す要部断面図であり、図６（Ｂ）（Ｃ）は同手順の説明図である。図７及び図８は同開閉用ハンドル装置の組付け手順を示す要部斜視図である。図９は同開閉用ハンドル装置の平面図であり、図１０は同開閉用ハンドル装置の背面図である。図１１は同開閉用ハンドル装置のバネ部材の斜視図である。
【００１７】
本願発明の開閉用ハンドル装置は、ケーシング１と、レバー２と、レバー２を操作するボタン３とを備えている。ケーシング１は、直方体状のものから構成され、上面が開放しており、上面側から下方側に窪まされた収納凹部１１が備えられている。この収納凹部１１は、後方側（図１の左側）がレバー２を収納するためのレバー収納凹部１２をなし、前方側（図１の右側）がボタン３を収納するためのボタン収納凹部１３をなす。両収納凹部１２，１３は連続して形成されており、両収納凹部１２，１３の底部１２ａ，１３ａも連続して一体に形成されており、実質的に一つの収納凹部１１として実施されている。また、これらの底部１２ａ，１３ａは、ケーシング１の上面から下方に延設された側壁１１ａに連続して形成され、ケーシング１全体が一体に形成されることが、生産コスト及び外部からの悪戯防止の点で最も望ましい。
【００１８】
レバー２は、レバーの本体２０と、本体２０の先端側に設けられた錠装置６と、本体２０の基端側に設けれたレバー支持軸２１とを備えるが、錠装置６は必ずしも必要ではない。また、錠装置をボタン３に設けて実施してもよく、ケーシングに設けて実施してもよい。
レバー支持軸２１は、図示は省略するが、軸孔に軸体を回動可能に挿通したもので、軸体はケーシングの左右の側壁に設けられた軸挿通孔に両端が支持されている。
レバー２は、このレバー支持軸２１を中心に先端側が上下に回動して起伏する。尚、レバー２の開閉動作を少ない力で行えるように、レバー２とケーシング１との間に回動用弾性体５を設け、レバー２を付勢しておくことも望ましい。
【００１９】
レバー２の先端側の施錠装置６は、図示は省略するが、鍵によってロック部材が回動し、この回動によってロック部材が、ケーシングの側壁に設けられた係合部に係合し、レバーが起きることができないように施錠する。この施錠装置６は必ずしも設ける必要はなく、例えば、弾性体の付勢により出没可能な突起等で、レバーの先端側とケーシングとを一時的に固定するものとして実施することもできる。
レバー２の先端には、ボタン３と係合する係合部２２が設けられている。この係合部２２は、図９に示すように、レバー２の先端の左右両側から突出して設けられたものであるが、後述のボタン３と係合できるものであれば、その形態や個数は適宜変更できる。
【００２０】
ボタン３は、その上面３１を人の指で下方に押すことによって、レバー２を起こすものである。即ち、この上面３１がボタンの操作部３１となる。このボタン３は、その基端側に、レバー２の係合部２２と係合して、レバー２の起立を防止するレバー係合部３２を備える。
このボタン３は、上面３１を押すことにより、所定角度だけ上下に回動動作を行うもので、軸受け部３３を有する。この例では、軸受け部３３は、図８に示すように、ボタン３の基端側の左右から下方に延設された腕部３４の先端に設けられている。この図８では、左側の腕部３４のみが見えるが、右側にも同様の腕部３４が左右対称に設けられている。この軸受け部３３は、ケーシング１のボタン収容凹部１３の左右の側壁１１ａに設けられた軸体１５に回動可能に取り付けられるもので、軸受け部３３と軸体１５とによって軸支手段が構成されることとなる。この軸体１５は、左右の側壁１１ａ間に、各側壁１１ａから突出して設けられたものである。
【００２１】
このボタン３は、ボタン収容凹部１３に、上面の開口から挿入して収納できることが大きな特徴であり、上記の軸支手段も、上面開口からボタン３を収納する操作によって、互いに嵌め合わせることができるものである。具体的には、図４に示すように、軸受け部３３には切欠部分３５が形成されている。この切欠部分３５は、軸受け部３３を軸体１５の直径より大きな範囲で切欠したもので、この切欠部分３５から軸受け部３３内に軸体１５が挿入される。尚、切欠部分３５は、回動性を維持し得る範囲を残して切欠していることは言うまでもない。
【００２２】
ボタン３の下面には、ボタン３の脱落防止手段を構成するバネ保持部３６が設けられている。この例では図６図８に示すように、バネ保持部３６は、次に説明するバネ部材４と係合固定されるバネ受け用の凹部３７が設けられたものであるが、バネ部材４と固定できる構造であれば適宜変更できる。
【００２３】
次に、ボタン３はバネ部材４によって、常時上方に付勢されており、前述のレバー係合部３２と係合部２２とが係合して、レバー２を倒した状態に固定する（図１）。そして、ボタン３をバネ部材４の付勢力に抗して下方に押すことにより、前述のレバー係合部３２と係合部２２との係合が外れ（図２）、レバー２は、上方に回動可能となり、起立状態となる。
【００２４】
このバネ部材４は、ケーシング１のボタン収納凹部１３内に配位されている。このバネ部材は弾性を有する適宜素材で適宜形状とすることができるが、この例では図１１に示すように、線バネにより構成されており、線材を旋回した中央部４１と、中央部４１から伸びるボタン側当接部４２及びケーシング側当接部４３を備える。これにより、中央部４１を基準として、ボタン側当接部４２とケーシング側当接部４３とが回動可能となっている。
中央部４１は、左右一対設けられたものであり、前述の左右の軸体１５、１５がこの中央部４１、４１内に挿入されることにより、バネ部材４がケーシング１に取り付けられることとなる。特に、この例のように、軸体１５、１５が左右に分かれて、その間が空間１５ａとなっているため、中央部４１、４１同士を接近させて、この空間１５ａに配位して、空間１５ａの側から各中央部４１に各軸体１５を通すことができる。
【００２５】
ボタン側当接部４２は、中央部４１からケーシング１の基端側上方に伸びるもので、ボタン３の下面に当接する。この例では、ボタン側当接部４２の一部が、ボタン３を保持するための保持部４４として機能する。この保持部４４は、左右一対の中央部から伸びる左右のボタン側当接部４２、４２の間にて、上述のボタン３におけるバネ保持部３６を挟持するもので、詳しくは、図６（Ｃ）に示すように、バネ受け用の凹部３７に嵌まるようにしたものである。
この左右のボタン側当接部４２の先端は、互いに連続しており、Ｕ字状になっている。この先端部分が、突出部４５となる。この突出部４５がケーシング１のボタン収納凹部１３の先端に設けられたバネ当たり１６と当接することによって、ボタン３はそれ以上、上方に回動することがない。従って、この例では、バネ部材４はボタン３の回動角度の規制手段としても機能する。
尚、突出部４５の形態は、上記のように、ボタン側当接部４２におけるＵ字状の先端部分に限られるものではなく、ボタン３にバネ部材４を取り付けた際において、バネ保持部３６に対して突出する部分であれば、例えば図１４（Ｃ）に示すような、ボタン３の横方向に突出した部分であっても良い。つまり、突出部４５は、バネ部材４のボタン側当接部４２の形態に応じて様々に形成して良い。
【００２６】
次に、ケーシング側当接部４３は、中央部４１からケーシング１の基端側下方に伸びるもので、ケーシングのボタン収納凹部１３の底部１３ａに当接する。このケーシング側当接部４３は、左右一対の中央部４１からそれぞれ伸びるもので、左右のケーシング側当接部４３、４３の先端は、互いに連続しておらず離れている。そのため、組付けの際に、左右の中央部４１、４１同士を近づけるように変形させることが容易となる。
【００２７】
以下、このボタン３の組付け工程を順次説明する。
まず、図３、図７に示すように、バネ部材４を軸体１５に取り付ける。即ち、前述のように、中央部４１、４１同士を接近させて、各軸体１５、１５間の空間１５ａに配位して、空間１５ａの側から各中央部４１に各軸体１５を通すと共に、ケーシング側当接部４３をボタン収納凹部１３の底部１３ａに当接させ、突出部４５をケーシングのバネ当たり１６の下方に当接させる。
【００２８】
次に、図４、図８に示すように、ボタン３を取り付ける。具体的には、ボタン３をボタン収納凹部１３の上部開口から差し込んで、その切欠部分３５から軸受け部３３内に、軸体１５を挿入する。この例では、バネ部材４の中央部４１とボタン収納凹部１３との間に、軸受け部３３が配位される。
【００２９】
次に、ボタン３を下方に回動させる（図５）。これにより、ボタン３のバネ保持部３６がバネ部材４の左右のケーシング側当接部４２、４２に嵌まりながら、ケーシング側当接部４２、４２を押し下げる（図６（Ａ）（Ｂ））。その際、突出部４５はケーシングのバネ当たり１６から離れて、下方に弾性変形する。そして、左右のケーシング側当接部４２、４２の保持部４４、４４が、ボタン３のバネ保持部３６のバネ受け用の凹部３７に嵌まり込み、取付が完了する（図６（Ｃ））。この嵌まり込みは、自然に行われ得るが、図６（Ａ）に示すように、治具ｊにより、バネ部材４の適宜位置（図では突出部４５）を下方から押し上げつつ、ボタン３を下方に回動させることによって、より確実にバネ受け用の凹部３７に嵌めることができる。このため、ボタン収納凹部１３の先端側の底部１３ａには、治具ｊ挿入用の貫通孔１３ｂが設けられている。
【００３０】
以上によって、組付けが完了し、倒したレバー２を、バネ部材４の付勢によってボタン３が、倒れたレバー２を、係止する。バネ部材４の付勢に抗してボタン３を押し下げると、レバー２が起立する。尚、必要に応じて、このレバーに、扉等の係止部材を設けてもよく、レバーは上下に回動するものの他、左右にも回動するものとしてもよい。
また、この例のケーシング１では、図１０に示すように、レバー収納凹部１２及びボタン収納凹部１３の底部１２ｂ，１３ｂに、開口部ｋが形成されている。この開口部ｋは、ケーシング１の型成形の都合で設けられたものに過ぎず、防水性を向上させたい場合には、これらの開口部ｋや貫通孔１３ｂを設けずに実施し得る。
【００３１】
以上、上記の実施の形態では、レバー２の先端側にボタン３を配位しているが、レバー２の基端側にボタン３を配位したものにも、本願のボタンとケーシングとの取り付け構造を適用することができる。ボタン３の上面は、ケーシング１やレバー２の上面と面一としているが、ボタン３を突出させたものであってもよく、逆に凹んでいるものであってもよく、適宜変更して実施し得る。軸体１５は、左右の側壁１１ａ間に別々に設けることが望ましいが、空間部分を設けずに１本に連続したものを渡すようにして実施してもよく、軸体とケーシングとは別体で構成したものであってもよく（第２実施形態参照）、一体に形成したものであってもよい。軸受け部は、ケーシング側に軸を受ける凹部を形成し、ボタン側に凹部に嵌まる軸を設けるようにしてもよい。
【００３２】
次に、図を参照しつつ本願発明のもう１つの実施形態（第２実施形態）を具体的に説明する。尚、この第２実施形態においても、基本的な構造は上記第１実施形態と同様であるため、ここでは、第１実施形態と異なる点を中心に説明する。図１２は本願発明の第２実施形態における開閉用ハンドル装置の中央断面図であり、図１３は図１２のＩ−Ｉ断面図である。図１４（Ａ）はボタンとバネ部材を組み合わせた状態を示す平面図であり、図１４（Ｂ）は図１４（Ａ）のII−II断面図である。
尚、この第２実施例において、第１実施例と共通の部分については、同一の符号を付して説明する。
【００３３】
ボタン３の軸受け部３３は、ケーシング１のボタン収容凹部１３の左右の側壁１１ａに設けられた貫通軸１５ｂに回動可能に取り付けられるもので、本例では、軸受け部３３と貫通軸１５ｂとによって軸支手段が構成される。この貫通軸１５ｂは、図１３に示すように、左右の側壁１１ａ間に、各側壁１１ａを貫通するようにして設けられたものである。
【００３４】
本例におけるボタン３についても、上記第１実施例と同様、ボタン収容凹部１３に、上面の開口から挿入して収納できる。尚、貫通軸１５ｂを軸受け部３３に通すものであるため、軸受け部３３には、上記第１実施例のような切欠部分３５を形成する必要はなく、貫通軸１５ｂを受容できる径を有する貫通孔３５ａを形成する。ただし、上記第１実施例に係る、切欠部分３５を有するボタン３に対して貫通軸１５ｂを取り付けることも可能である。
本例においては、上記第１実施例のように、軸体１５に切欠部分３５を通すこと等による、ボタン３の収納操作の限定がないため、ボタン３の形状の自由度が高まるものであり、組み付け作業も比較的容易なものとできる。
【００３５】
以下、この第２実施例に係るボタン３の組付け工程を順次説明する。
まず、図１４（Ａ）（Ｂ）に示すように、バネ部材４をボタン３に取り付ける。具体的には、バネ部材４の左右のボタン側当接部４２、４２における保持部４４、４４を、ボタン３のバネ保持部３６のバネ受け用の凹部３７に嵌め込む（図６（Ｃ）参照）。尚、この際、ボタン３の貫通孔３５ａと、バネ部材４の中央部４１の位置を、図１４（Ｂ）に示すように、揃えておく。
【００３６】
次に、上記のようにバネ部材４を取り付けたボタン３をボタン収納凹部１３に取り付ける。具体的には、ボタン３をボタン収納凹部１３の上部開口から差し込む。
【００３７】
次に、図１３に示すように、ケーシング１の左右の側壁１１ａに形成した貫通孔１１ｂに貫通軸１５ｂを挿入する。そして、ボタン３の貫通孔３５ａに貫通軸１５ｂが通される。
以上で組み付けが完了する。本例では、ボタン収納凹部１３に取り付ける前に、あらかじめバネ部材４をボタン３に取り付けておくことができるため、上記の第１実施例に比べて組み付け作業が簡単にできるという利点を有する。
【００３８】
【発明の効果】
以上、本願発明にあっては、回動式のボタンを備えた開閉用ハンドル装置にあって、ボタン収納凹部の底部からボタンを装着する必要がない。従って、従来のように、下面形成用蓋をかしめ加工で装着固定する必要がなくなったものであり、ボタンの組み付け作業を容易に短時間で行い得る開閉用ハンドル装置を提供することができたものである。また、ハンドル装置の設置場所等の関係で、レバーに防水性が求められる場合には、ケーシングの底部を側壁と完全に一体に成形することも可能であり、防水性を向上させることができる設計となすことも可能となった。しかも、バネ部材を、単にボタンの付勢用として利用するに止まらず、ボタンの脱落防止機能をも発揮させたものであり、少ない部品点数と簡単な組付け作業によって、上記効果を達成できるようにしたものである。
本願の請求項３の発明にあっては、上記の効果の他、ボタンをケーシングの軸体に上方から容易に取り付けることができ、しかも、ボタンの脱落を確実に防止できるようにしたものである。
本願の請求項４の発明にあっては、治具の使用によって、より確実にボタンとバネ部材とを固定できるようにし、不良品の発生を防止するのに効果がある。
本願の請求項５、６の発明にあっては、ボタンの形状がケーシングへの収納方法によって制限されないため、自由度が高まるものであり、しかも、ボタンの組み付け作業も比較的容易なものとできる。
本願の請求項８の発明にあっては、開閉用ハンドル装置に用いるボタンにあって、ボタンの形状がケーシングへの収納方法によって制限されないため、自由度が高まるものであり、しかも、ボタンの組み付け作業も比較的容易なものとできる。
【図面の簡単な説明】
【図１】本願発明の第１実施形態における開閉用ハンドル装置の中央断面図である。
【図２】同開閉用ハンドル装置のボタンを押し下げた状態の中央断面図である。
【図３】同開閉用ハンドル装置の組付け手順を示す要部断面図である。
【図４】同開閉用ハンドル装置の組付け手順を示す要部断面図である。
【図５】同開閉用ハンドル装置の組付け手順を示す要部断面図である。
【図６】（Ａ）は同開閉用ハンドル装置の組付け手順を示す要部断面図であり、（Ｂ）は同手順の説明図であり、（Ｃ）は同手順の完了時の説明図である。
【図７】同開閉用ハンドル装置の組付け手順を示す要部斜視図である。
【図８】同開閉用ハンドル装置の組付け手順を示す要部斜視図である。
【図９】同開閉用ハンドル装置の平面図である。
【図１０】同開閉用ハンドル装置の背面図である。
【図１１】同開閉用ハンドル装置のバネ部材の斜視図である。
【図１２】本願発明の第２実施形態における開閉用ハンドル装置の中央断面図である。
【図１３】図１２におけるＩ−Ｉ断面図である。
【図１４】(A) は、ボタンとバネ部材を組み合わせた状態を示す平面図であり、(B)は(A)のII−II断面図である。(C)は(A)において、バネ部材を他の形状とした場合を示す平面図である。
【図１５】(A) は、従来のハンドル装置の正面図、(B) はその底面図である。
【図１６】(A) は、従来のハンドル装置の断面図、(B) は従来のハンドル装置のレバーを起こした状態の断面図である。
【符号の説明】
１      ケーシング
２      レバー
３      ボタン
１２    レバー収納凹部
１３    ボタン収納凹部
４      バネ部材
３２    レバー係合部
４４    保持部
１５    軸体
３５    切欠部分
３３    軸受け部
４２    ボタン側当接部
１３ｂ  貫通孔
ｊ      治具
３６    バネ保持部
４５    突出部
４１    中央部
４３    ケーシング側当接部
【図１】
0003902641.tif 000002
【図２】
0003902641.tif 000003
【図３】
0003902641.tif 000004
【図４】
0003902641.tif 000005
【図５】
0003902641.tif 000006
【図６】
0003902641.tif 000007
【図７】
0003902641.tif 000008
【図８】
0003902641.tif 000009
【図９】
0003902641.tif 000010
【図１０】
0003902641.tif 000011
【図１１】
0003902641.tif 000012
【図１２】
0003902641.tif 000013
【図１３】
0003902641.tif 000014
【図１４】
0003902641.tif 000015
【図１５】
0003902641.tif 000016
【図１６】
0003902641.tif 000017